(57)【要約】【課題】本発明は機械加工用の防護眼鏡を開示した。【解決手段】支持フレームと前記支持フレームの底部に位置している固定ブロックとを含み、前記支持フレームの中にはヒンジ連結軸が回転できるように設置され、前記ヒンジ連結軸の外側には左右対称の眼鏡フレームがヒンジにより連結され、前記眼鏡フレームの中には弧状ガイドスライド溝が設置され、前記弧状ガイドスライド溝の中には弧状ブロックがスライドできるように設置され、前記弧状ブロックが前記支持フレームと固定的に連結され、前記眼鏡フレームと前記支持フレームとの間には押圧バネが設置され、本発明の防護眼鏡は頭部に便利に固定でき、同時に前記眼鏡のレンズには拭き装置が設置され、レンズに油汚れがつく時に拭くことに便利を与え、また設備が使用されない時に自動的に折り畳むことができ、前記レンズを包み、レンズへの保護を実現する。【選択図】図１
2020184057.tif 000002
【特許請求の範囲】
【請求項１】
正面視で、支持フレームと前記支持フレームの底部に位置している固定ブロックとを含み、前記支持フレームの中にはヒンジ連結軸が回転できるように設置され、前記ヒンジ連結軸の外側には左右対称の眼鏡フレームがヒンジにより連結され、前記眼鏡フレームの中には弧状ガイドスライド溝が設置され、前記弧状ガイドスライド溝の中には弧状ブロックがスライドできるように設置され、前記弧状ブロックが前記支持フレームと固定的に連結され、前記眼鏡フレームと前記支持フレームとの間には押圧バネが設置され、前記眼鏡フレームの中には空きチャンバが設置され、前記空きチャンバの頂壁の中には外部に連通しているレンズチャンバが設置され、前記レンズチャンバの中にはレンズが固定的に設置され、前記レンズチャンバの中には前記レンズを拭くことができる拭き装置が設置され、前記空きチャンバのうち前記支持フレームから離れている側の端壁の中には切換チャンバが設置され、前記切換チャンバのうち前記空きチャンバから離れている側の端壁の中にはスライドチャンバが設置され、前記スライドチャンバの中にはスライドブロックがスライドできるように設置され、前記スライドブロックのうち前記切換チャンバに近接している側の端壁の中には第一モータが固定的に設置され、前記第一モータの出力軸が前記切換チャンバの中に伸びており、且つ前記第一モータの出力軸の末端には第一ギヤが固定的に設置され、前記切換チャンバと前記空きチャンバとの間には第一回転軸が回転できるように設置され、前記切換チャンバの中の前記第一回転軸の末端には前記第一ギヤと噛み合っている第二ギヤが固定的に設置され、前記空きチャンバの中の前記第一回転軸の末端には第一リールが固定的に設置され、左右二つの前記第一リールの間には前記支持フレームの中に設置された抜き孔を貫通している第一引きひもが巻きつくように設置され、前記第一リールが回転して前記第一引きひもを放して前記押圧バネと協働して前記眼鏡フレームの折り畳みを実現でき、これによりレンズを保護し、前記固定ブロックの中には第二リールチャンバが設置され、前記第二リールチャンバ及び前記第二リールチャンバの端壁の中には固定装置が設置されたことを特徴とする機械加工用の防護眼鏡。
【請求項２】
前記拭き装置は前記レンズチャンバの中にスライドできるように設置された凹形ブロックを含み、前記凹形ブロックの凹溝の中にはクリーニング布が設置され、前記レンズのクリーニングに便利を与え、前記凹形ブロックの中には左右に貫通しているネジ山孔が設置され、前記ネジ山孔の中にはネジ山ロッドがネジ山により連結され、前記ネジ山ロッドのうち前記支持フレームから離れている側の末端が前記切換チャンバに伸びており、前記切換チャンバの中の前記ネジ山ロッドの末端には前記第一ギヤと噛み合うことができる第三ギヤが固定的に設置されたことを特徴とする請求項１に記載の機械加工用の防護眼鏡。
【請求項３】
前記固定装置は前記第二リールチャンバの頂壁の中に設置されたウォームホイールチャンバを含み、前記ウォームホイールチャンバの左右端壁の中には引きひも孔が対称的に設置され、前記ウォームホイールチャンバと前記第二リールチャンバとの間には第二回転軸が回転できるように設置され、前記第二リールチャンバの中の前記第二回転軸の末端には第二リールが固定的に設置され、前記ウォームホイールチャンバの中の前記第二回転軸の末端にはウォームホイールが固定的に設置され、前記ウォームホイールチャンバの中には前記ウォームホイールと噛み合っているウォームが回転できるように設置され、前記ウォームが前記ウォームホイールチャンバの左側端壁の中に固定的に設置された第二モータと動力が伝達できるように連結され、前記眼鏡フレームの底壁の中には第一スライド孔が設置され、前記第一スライド孔の中には第一ラックがスライドできるように設置され、前記第一ラックと前記第一スライド孔の左側端壁との間には復帰装置が弾性を持つように設置され、前記スライドチャンバの底壁の中には上方へ開口した第二スライド孔が設置され、前記第二スライド孔の中には前記スライドブロックと固定的に連結された第二ラックがスライドできるように設置され、前記第一スライド孔と前記第二スライド孔との間にはギヤチャンバが連通するように設置され、前記ギヤチャンバの中には前記第一ラックと前記第二ラックと噛み合っている第四ギヤが回転できるように設置されたことを特徴とする請求項１に記載の機械加工用の防護眼鏡。
【発明の詳細な説明】
【技術分野】
【０００１】
本発明は防護用品分野を取り上げて、具体的には機械加工用の防護眼鏡である。
【背景技術】
【０００２】
人が機械加工をする時、加工設備が高速作動して切削砕屑を連動させて高速で飛び出させ、操作員の目を傷つけやすく、従来の保護眼鏡に切削冷却液がついた後に保護眼鏡をきれいに拭きにくく、且つ従来の保護眼鏡を直接にテーブル面に置いたらレンズを傷つけやすく、そのため、上記の問題を解決するために機械加工用の防護眼鏡が必要となる。
【先行技術文献】
【特許文献】
【０００３】
【特許文献１】中国特許出願公開第１０３００６３７５号明細書
【発明の概要】
【発明が解決しようとする課題】
【０００４】
本発明は機械加工用の防護眼鏡を提供し、従来技術における上記欠点を解消し、設備の実用性を高めることを目的とする。
【課題を解決するための手段】
【０００５】
本発明の機械加工用の防護眼鏡は、支持フレームと前記支持フレームの底部に位置している固定ブロックとを含み、前記支持フレームの中にはヒンジ連結軸が回転できるように設置され、前記ヒンジ連結軸の外側には左右対称の眼鏡フレームがヒンジにより連結され、前記眼鏡フレームの中には弧状ガイドスライド溝が設置され、前記弧状ガイドスライド溝の中には弧状ブロックがスライドできるように設置され、前記弧状ブロックが前記支持フレームと固定的に連結され、前記眼鏡フレームと前記支持フレームとの間には押圧バネが設置され、前記眼鏡フレームの中には空きチャンバが設置され、前記空きチャンバの頂壁の中には外部に連通しているレンズチャンバが設置され、前記レンズチャンバの中にはレンズが固定的に設置され、前記レンズチャンバの中には前記レンズを拭くことができる拭き装置が設置され、前記空きチャンバのうち前記支持フレームから離れている側の端壁の中には切換チャンバが設置され、前記切換チャンバのうち前記空きチャンバから離れている側の端壁の中にはスライドチャンバが設置され、前記スライドチャンバの中にはスライドブロックがスライドできるように設置され、前記スライドブロックのうち前記切換チャンバに近接している側の端壁の中には第一モータが固定的に設置され、前記第一モータの出力軸が前記切換チャンバの中に伸びており、且つ前記第一モータの出力軸の末端には第一ギヤが固定的に設置され、前記切換チャンバと前記空きチャンバとの間には第一回転軸が回転できるように設置され、前記切換チャンバの中の前記第一回転軸の末端には前記第一ギヤと噛み合っている第二ギヤが固定的に設置され、前記空きチャンバの中の前記第一回転軸の末端には第一リールが固定的に設置され、左右二つの前記第一リールの間には前記支持フレームの中に設置された抜き孔を貫通している第一引きひもが巻きつくように設置され、前記第一リールが回転して前記第一引きひもを放して前記押圧バネと協働して前記眼鏡フレームの折り畳みを実現でき、これによりレンズを保護し、前記固定ブロックの中には第二リールチャンバが設置され、前記第二リールチャンバ及び前記第二リールチャンバの端壁の中には固定装置が設置された。
【０００６】
好ましくは、前記拭き装置は前記レンズチャンバの中にスライドできるように設置された凹形ブロックを含み、前記凹形ブロックの凹溝の中にはクリーニング布が設置され、前記レンズのクリーニングに便利を与え、前記凹形ブロックの中には左右に貫通しているネジ山孔が設置され、前記ネジ山孔の中にはネジ山ロッドがネジ山により連結され、前記ネジ山ロッドのうち前記支持フレームから離れている側の末端が前記切換チャンバに伸びており、前記切換チャンバの中の前記ネジ山ロッドの末端には前記第一ギヤと噛み合うことができる第三ギヤが固定的に設置された。
【０００７】
好ましくは、前記固定装置は前記第二リールチャンバの頂壁の中に設置されたウォームホイールチャンバを含み、前記ウォームホイールチャンバの左右端壁の中には引きひも孔が対称的に設置され、前記ウォームホイールチャンバと前記第二リールチャンバとの間には第二回転軸が回転できるように設置され、前記第二リールチャンバの中の前記第二回転軸の末端には第二リールが固定的に設置され、前記ウォームホイールチャンバの中の前記第二回転軸の末端にはウォームホイールが固定的に設置され、前記ウォームホイールチャンバの中には前記ウォームホイールと噛み合っているウォームが回転できるように設置され、前記ウォームが前記ウォームホイールチャンバの左側端壁の中に固定的に設置された第二モータと動力が伝達できるように連結され、前記眼鏡フレームの底壁の中には第一スライド孔が設置され、前記第一スライド孔の中には第一ラックがスライドできるように設置され、前記第一ラックと前記第一スライド孔の左側端壁との間には復帰装置が弾性を持つように設置され、前記スライドチャンバの底壁の中には上方へ開口した第二スライド孔が設置され、前記第二スライド孔の中には前記スライドブロックと固定的に連結された第二ラックがスライドできるように設置され、前記第一スライド孔と前記第二スライド孔との間にはギヤチャンバが連通するように設置され、前記ギヤチャンバの中には前記第一ラックと前記第二ラックと噛み合っている第四ギヤが回転できるように設置された。
【発明の効果】
【０００８】
本発明の有益効果は：本発明の防護眼鏡は頭部に便利に固定でき、同時に前記眼鏡のレンズには拭き装置が設置され、レンズに油汚れがつく時に拭くことに便利を与え、また設備が使用されない時に自動的に折り畳むことができ、前記レンズを包み、レンズへの保護を実現する。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の機械加工用の防護眼鏡の全体構成模式図
【図２】図２は図１の中のＡ―Ａの構成模式図
【図３】図３は図１の中のＢの拡大構成模式図
【図４】図４は図１の中のＣ―Ｃの構成模式図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜４を参照し、本発明の機械加工用の防護眼鏡は、支持フレーム１７と前記支持フレーム１７の底部に位置している固定ブロック２８とを含み、前記支持フレーム１７の中にはヒンジ連結軸１６が回転できるように設置され、前記ヒンジ連結軸１６の外側には左右対称の眼鏡フレーム１０がヒンジにより連結され、前記眼鏡フレーム１０の中には弧状ガイドスライド溝１８が設置され、前記弧状ガイドスライド溝１８の中には弧状ブロック１５がスライドできるように設置され、前記弧状ブロック１５が前記支持フレーム１７と固定的に連結され、前記眼鏡フレーム１０と前記支持フレーム１７との間には押圧バネ１９が設置され、前記眼鏡フレーム１０の中には空きチャンバ２２が設置され、前記空きチャンバ２２の頂壁の中には外部に連通しているレンズチャンバ１４が設置され、前記レンズチャンバ１４の中にはレンズ１３が固定的に設置され、前記レンズチャンバ１４の中には前記レンズ１３を拭くことができる拭き装置２００が設置され、前記空きチャンバ２２のうち前記支持フレーム１７から離れている側の端壁の中には切換チャンバ４７が設置され、前記切換チャンバ４７のうち前記空きチャンバ２２から離れている側の端壁の中にはスライドチャンバ４４が設置され、前記スライドチャンバ４４の中にはスライドブロック４２がスライドできるように設置され、前記スライドブロック４２のうち前記切換チャンバ４７に近接している側の端壁の中には第一モータ４３が固定的に設置され、前記第一モータ４３の出力軸が前記切換チャンバ４７の中に伸びており、且つ前記第一モータ４３の出力軸の末端には第一ギヤ４５が固定的に設置され、前記切換チャンバ４７と前記空きチャンバ２２との間には第一回転軸４０が回転できるように設置され、前記切換チャンバ４７の中の前記第一回転軸４０の末端には前記第一ギヤ４５と噛み合っている第二ギヤ４１が固定的に設置され、前記空きチャンバ２２の中の前記第一回転軸４０の末端には第一リール３１が固定的に設置され、左右二つの前記第一リール３１の間には前記支持フレーム１７の中に設置された抜き孔２０を貫通している第一引きひも２１が巻きつくように設置され、前記第一リール３１が回転して前記第一引きひも２１を放して前記押圧バネ１９と協働して前記眼鏡フレーム１０の折り畳みを実現でき、これによりレンズ１３を保護し、前記固定ブロック２８の中には第二リールチャンバ２６が設置され、前記第二リールチャンバ２６及び前記第二リールチャンバ２６の端壁の中には固定装置３００が設置された。
【００１３】
有益的には、前記拭き装置２００は前記レンズチャンバ１４の中にスライドできるように設置された凹形ブロック１１を含み、前記凹形ブロック１１の凹溝の中にはクリーニング布１２が設置され、前記レンズ１３のクリーニングに便利を与え、前記凹形ブロック１１の中には左右に貫通しているネジ山孔２９が設置され、前記ネジ山孔２９の中にはネジ山ロッド３０がネジ山により連結され、前記ネジ山ロッド３０のうち前記支持フレーム１７から離れている側の末端が前記切換チャンバ４７に伸びており、前記切換チャンバ４７の中の前記ネジ山ロッド３０の末端には前記第一ギヤ４５と噛み合うことができる第三ギヤ４６が固定的に設置された。
【００１４】
有益的には、前記固定装置３００は前記第二リールチャンバ２６の頂壁の中に設置されたウォームホイールチャンバ４８を含み、前記ウォームホイールチャンバ４８の左右端壁の中には引きひも孔２４が対称的に設置され、前記ウォームホイールチャンバ４８と前記第二リールチャンバ２６との間には第二回転軸２７が回転できるように設置され、前記第二リールチャンバ２６の中の前記第二回転軸２７の末端には第二リール２５が固定的に設置され、前記ウォームホイールチャンバ４８の中の前記第二回転軸２７の末端にはウォームホイール５１が固定的に設置され、前記ウォームホイールチャンバ４８の中には前記ウォームホイール５１と噛み合っているウォーム５０が回転できるように設置され、前記ウォーム５０が前記ウォームホイールチャンバ４８の左側端壁の中に固定的に設置された第二モータ４９と動力が伝達できるように連結され、前記眼鏡フレーム１０の底壁の中には第一スライド孔３５が設置され、前記第一スライド孔３５の中には第一ラック３４がスライドできるように設置され、前記第一ラック３４と前記第一スライド孔３５の左側端壁との間には復帰装置３３が弾性を持つように設置され、前記スライドチャンバ４４の底壁の中には上方へ開口した第二スライド孔３７が設置され、前記第二スライド孔３７の中には前記スライドブロック４２と固定的に連結された第二ラック３６がスライドできるように設置され、前記第一スライド孔３５と前記第二スライド孔３７との間にはギヤチャンバ３９が連通するように設置され、前記ギヤチャンバ３９の中には前記第一ラック３４と前記第二ラック３６と噛み合っている第四ギヤ３８が回転できるように設置された。
【００１５】
以下、出願人は付図１〜４及び上記の本出願の機械加工用の防護眼鏡の具体的な構成を参照してその使用方法を詳しく紹介する：
【００１６】
前記防護眼鏡を目の前側に置き、同時に前記固定ブロック２８を前記使用者の頭の後側に置き、この時、前記第二モータ４９を始動して回転させて前記ウォーム５０を連動させて回転させ、これにより前記ウォームホイール５１を連動させて回転させ、これにより前記第二リール２５を連動させて回転させ、これにより前記第二引きひも２３を前記第二リール２５の外面に巻きつけ、この時、前記第二引きひも２３が前記防護眼鏡を目の前側に固定し、この時、前記第二モータ４９が継続して回転して前記第二引きひも２３を連動させて前記第一ラック３４を引き動かして下方へ移動させ、これにより前記第二ラック３６を連動させて上方へ移動させ、これにより前記スライドブロック４２を連動させて上方へ移動させ、これにより前記第一ギヤ４５を連動させて前記第三ギヤ４６と噛み合わせ、レンズを拭く時、前記第一モータ４３を始動して回転させ、これにより前記第一ギヤ４５を連動させて回転させ、これにより前記第三ギヤ４６を連動させて回転させ、これにより前記ネジ山ロッド３０を連動させて回転させ、前記ネジ山ロッド３０が回転して前記凹形ブロック１１を連動させて移動させ、これにより前記クリーニング布１２を連動させて前記レンズ１３を拭かせ、前記設備を使用し終わった後、前記第二モータ４９を始動して逆方向へ回転させ、この時、前記第二引きひも２３が緩み、前記第一ラック３４が前記復帰装置３３の作用のもとで復帰し、これにより前記スライドブロック４２を連動させて下方へ移動させ、これにより前記第一ギヤ４５を連動させて前記第二ギヤ４１と噛み合わせ、この時、前記第一モータ４３を始動して回転させ、これにより前記第一リール３１を連動させて回転させ、これにより前記第一引きひも３２が放され、この時、左右二つの前記眼鏡フレーム１０が前記バネ１９の作用のもとで向き合って回転して密着し、この時、前記レンズ１３が前記眼鏡フレーム１０に包まれ、これによりレンズ１３への保護を実現する。
【００１７】
上記の詳しい分析から、本発明の防護眼鏡は頭部に便利に固定でき、同時に前記眼鏡のレンズには拭き装置が設置され、レンズに油汚れがつく時に拭くことに便利を与え、また設備が使用されない時に自動的に折り畳むことができ、前記レンズを包み、レンズへの保護を実現することが分かる。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。
【図１】
2020184057.tif 000003
【図２】
2020184057.tif 000004
【図３】
2020184057.tif 000005
【図４】
2020184057.tif 000006